(57)【要約】【課題】除湿装置のほぼすべての送風を水平方向から垂直上方方向まで送風方向を変化させ、その変化を一定の速度で行うことにより、洗濯後の衣類に送風を均等に当て、乾きむらを抑制し、衣類乾燥能力の向上を目的とするものである。【解決手段】上方に開口する送風口３を有する本体ケース１と、この本体ケース１内に設けた除湿手段と、送風口３の上方を、所定間隔をおいて覆った可動自在のルーバ１１、このルーバ１１の回動を行う駆動手段１７とを備え、ルーバ１１の両側面１２には軸部１３を有し、この軸部１３はルーバ１１の前面側または後面側のどちらか一方に片寄って設け、ルーバ１１は軸部１３により本体ケース１に回転自在に固定され、軸部１３のどちらか一方は本体ケース１を介し駆動手段１７と連結し、ルーバ１１にルーバ回動安定手段１４を設け、これにより初期の目的を達成するものである。【選択図】図３
2010012401.tif 000002
【特許請求の範囲】
【請求項１】
上方に開口する送風口を有する本体ケースと、この本体ケース内に設けた除湿手段と、前記送風口の上方を、所定間隔をおいて覆った可動自在のルーバと、このルーバの回動を行う駆動手段とを備え、前記ルーバの両側面には軸部を有し、この軸部は前記ルーバの前面側または後面側のどちらか一方に片寄って設け、前記ルーバは前記軸部により前記本体ケースに回転自在に固定され、前記軸部のどちらか一方は前記本体ケースを介し前記駆動手段と連結し、前記ルーバにルーバ回動安定手段を設けた除湿装置。
【請求項２】
軸部は前記ルーバの下方に所定の距離を有し設けた請求項１記載の除湿装置。
【請求項３】
ルーバ回動安定手段は前記軸部の下方に設け、前記ルーバ回動安定手段と前記軸部との距離は、前記ルーバと前記軸部との距離より長い請求項１また２記載の除湿装置。
【請求項４】
ルーバ回動安定手段は前記軸部側に片寄って設けられた請求項１から３のいずれかに記載の除湿装置。
【請求項５】
ルーバ回動安定手段は略円柱形状である請求項１から４のいずれかに記載の除湿装置。
【請求項６】
ルーバ回動安定手段は金属である請求項５に記載の除湿装置。
【請求項７】
ルーバ回動安定手段は平板形状である請求項１から４のいずれかに記載の除湿装置。
【請求項８】
ルーバ回動安定手段の前面側から後面側の奥行き寸法は、前記ルーバの前面側から後面側の奥行き寸法より短い請求項７に記載の除湿装置。
【請求項９】
ルーバ回動安定手段の片寄って設けられた前記軸部側の先端部形状は、前記ルーバ側方向に湾曲状態とした請求項７または８に記載の除湿装置。
【請求項１０】
ルーバ回動安定手段は、前記軸部の一方に軸方向に対して垂直に固定された平板と、この平板の端面に接触するように本体に設けられた板状のばねとからなる請求項１また２記載の除湿装置。
【請求項１１】
平板は略楕円形状であり、前記ルーバの回動時に、前記ルーバの重心が前記軸の真上に来た時に、前記平板の略楕円形状の長辺と接する位置に、前記板状のばねが本体に設けられた請求項１０に記載の除湿装置。
【請求項１２】
板状のばねは、両端または片側の一方を本体に固定した請求項１１に記載の除湿装置。
【発明の詳細な説明】
【技術分野】
【０００１】
本発明は、例えば衣類乾燥用として用いられる除湿装置に関するものである。
【背景技術】
【０００２】
本体ケース内に除湿手段を設けた除湿装置は、除湿能力が高いことから、衣類の乾燥用として積極的に活用されている。
【０００３】
すなわち、室内空気を前記除湿手段で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである（なお、これに関連する先行文献としては下記特許文献１がある）。
【特許文献１】特開２００６−１０２５７８号公報
【発明の開示】
【発明が解決しようとする課題】
【０００４】
上述のごとく従来の除湿装置は衣類乾燥用などとして極めて評価されているものであるが、従来の除湿装置においては、本体ケースの送風口部分にルーバを設け、このルーバをステッピングモーター等により往復回動させ、送風口からの送風方向を水平方向から垂直上方方向まで角度を変化させている。しかし、ルーバとルーバを回転自在に固定している軸との位置関係によっては、ルーバの自重によって、ルーバが加速し、回動途中で回動速度が速くなり、ルーバが一定の速度で回動しないため、洗濯後の衣類に送風が均等に当たらず、乾きむらが発生するという課題があった。
【０００５】
そこで従来は、ルーバの中心に軸を設け、その軸にルーバの重心がくるようにし、ルーバ回動時にルーバを一定の速度で往復回動させていたが、その場合には送風方向を変化できない送風部分が発生するという課題があった。
【０００６】
そこで本発明は、送風口のほぼ全域からの送風を、水平方向から垂直上方方向まで送風方向を変化させ、その変化を一定の速度で行うことにより、洗濯後の衣類に送風を均等に当て、乾きむらを抑制することを目的とするものである。
【課題を解決するための手段】
【０００７】
そしてこの目的を達成するために本発明は、上方に開口する送風口を有する本体ケースと、この本体ケース内に設けた除湿手段と、前記送風口の上方を、所定間隔をおいて覆った可動自在のルーバ、このルーバの回動を行う駆動手段とを備え、前記ルーバの両側面には軸部を有し、この軸部は前記ルーバの前面側または後面側のどちらか一方に片寄って設け、前記ルーバは前記軸部により前記本体ケースに回転自在に固定され、前記軸部のどちらか一方は前記本体ケースを介し前記駆動手段と連結し、前記ルーバにルーバ回動安定手段を設け、これにより初期の目的を達成するものである。
【発明の効果】
【０００８】
本発明は、上方に開口する送風口を有する本体ケースと、この本体ケース内に設けた除湿手段と、前記送風口の上方を、所定間隔をおいて覆った可動自在のルーバと、このルーバの回動を行う駆動手段とを備え、前記ルーバの両側面には軸部を有し、この軸部は前記ルーバの前面側または後面側のどちらか一方に片寄って設け、前記ルーバは前記軸部により前記本体ケースに回転自在に固定され、前記軸部のどちらか一方は前記本体ケースを介し前記駆動手段と連結し、前記ルーバにルーバ回動安定手段を設けたものであり、送風口のほぼ全域からの送風を水平方向から垂直上方方向まで送風方向を変化させ、その変化を一定の速度で行うことにより、洗濯後の衣類に送風を均等に当て、乾きむらを抑制することができるので、衣類乾燥能力を向上することができる。
【０００９】
すなわち、ルーバにルーバ回動安定手段を設けたので、送風口のほぼ全域からの送風を水平方向から垂直上方方向までの送風方向に変化させるために、ルーバ両側面の軸部が、ルーバの前面側または後面側のどちらか一方に片寄って設けられた場合にも、ルーバ回動時にルーバの回動が加速されにくくなる。
【００１０】
これらの結果により、送風口のほぼ全域からの送風を水平方向から垂直上方方向まで送風方向を変化させ、その変化を一定の速度で行うことにより、洗濯後の衣類に送風を均等に当て、乾きむらを抑制することが出来るものである。
【発明を実施するための最良の形態】
【００１１】
以下本発明の実施形態を添付図面を用いて説明する。
【００１２】
図１において、１は縦長箱状の本体ケースで、この本体ケース１の背面には吸込口２、上面の背面側には送風口３が設けられている。
【００１３】
また本体ケース１内には、圧縮機（図示せず）と、凝縮器４、蒸発器５を備えた冷凍サイクルと、除湿ロータ６からなる除湿手段が設けられている。
【００１４】
すなわち、上記先行文献にも類似する構成が記載されているので、ここでは説明を簡略化するが、本実施形態の除湿動作は以下のようになっている。
【００１５】
先ずモータ７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１６】
また、ファン８により本体ケース１内に吸入された空気の一部は、加熱され、相対湿度が低くなった状態で除湿ロータ６の放出部を通過し、この時この放出部からの放出湿度を伴って次に蒸発器５へと誘導され、この蒸発器５で冷却され、ここで湿気を結露させる。
【００１７】
この結露水はドレインパン９を介してタンク１０中に溜められる。
【００１８】
また、蒸発器５で結露しなかった湿気は除湿ロータ６の吸湿部で吸湿され、この吸湿部は除湿ロータ６の回転によりその後上記放出部となり、これにより捕らえた湿気を加熱空気に再放出させ、次に蒸発器５で冷却し、湿気を結露させて除去する。
【００１９】
そしてこのような除湿動作により、乾燥した空気が生成され、この乾燥空気が上述の送風口３から本体ケース１後方の室内に送風されるようになっている。
【００２０】
したがって、この送風部分に洗濯物を干しておれば、乾燥が効率的に進むものとなるのである。
【００２１】
本実施形態における特徴点は、送風口３と、ここに設けたルーバ１１部分にある。
【００２２】
（実施の形態１）
実施の形態１は先ず、送風口３は図１のごとく、本体ケース１の上面の後方に、上方開口して設けている。
【００２３】
また、ルーバ１１は図２、図３のごとく、その送風後端１１ａ（本体ケース１前方側端）を、この送風口３の送風後端よりも後方まで延長し、またその送風前端１１ｂ（本体ケース１後方側端）を、前記送風口３の送風前端よりも前方側に延長した形状としている。つまり、送風口３の上面は所定間隔をおいてルーバ１１で覆った状態としている。
【００２４】
このルーバ１１は、ルーバ１１の両側面１２には軸部１３と、この軸部１３の下部でルーバ１１の両側面１２の間には、ルーバ回動安定手段１４とを備えた構成となっている。
【００２５】
軸部１３は、ルーバ１１の両側面１２でルーバ１１から下方に所定の距離を有し、かつ送風後端１１ａ側に片寄った位置に設け、ルーバ１１の両側面１２より外側に突出した円柱形状である。ルーバ回動安定手段１４は、軸部１３の下部でルーバ１１の両側面１２の間にルーバ１１の送風後端１１ａ側に片寄って設けられ、略円柱形状である。
【００２６】
これらルーバ回動安定手段１４と軸部１３との距離は、ルーバ１１と軸部１３との距離より長く設けられている。
【００２７】
また、ルーバ回動安定手段１４の材料はルーバ１１と同様の材料である。
【００２８】
なお、ルーバ回動安定手段１４の材料はルーバ１１材料より密度が大きい金属性でも良い。
【００２９】
また、図４、図５のごとく本体ケース１の送風口３近傍には、軸部１３が回動自在に固定される支持孔１６を備えた支持部１５を設けている。この支持部１５の内部には、ルーバ１１の往復回動を行う駆動手段１７を設け、この駆動手段１７は支持孔１６を介し、軸部１３の一方と固定されている。
【００３０】
このような構成において、軸部１３をルーバ１１の両側面１２でルーバ１１から下方に所定の距離を有し、かつ送風後端１１ａ側に片寄った位置に設けることにより、駆動手段１７によってルーバ１１を水平方向から垂直上方方向まで往復回動する間、送風口３の送風後端よりも後方までルーバ１１の送風後端１１ａによってほぼ覆われるため、その往復回動の間送風口３のほぼ全域からの送風を水平方向から垂直上方方向まで送風方向を変化させることができる。
【００３１】
また、ルーバ回動安定手段１４は、軸部１３の下部でルーバ１１の両側面１２の間にルーバ１１の送風後端１１ａ側に片寄って設けられるため、ルーバ回動安定手段１４と送風後端１１ａが軸部１３を中心として送風前端１１ｂとバランスをとることなり、つまりルーバ１１の位置に関係なくルーバ重心１８の位置が軸部１３に対し距離が離れることなくほぼ近傍を維持することとなり、軸部１３の垂直方向に対しルーバ重心１８が前後することがないので、ルーバ１１回動時に駆動手段１７に回転力が加わることがなく、ルーバ１１は一定の速度を保って回動して送風方向を変化させることができる。
【００３２】
また、ルーバ回動安定手段１４と軸部１３との距離は、ルーバ１１と軸部１３との距離より長く設けられているため、ルーバ回動安定手段１４がルーバ１１と同じ材料の場合にはルーバ１１より体積が小さく、軽量でもバランスをとることが可能となり、送風口３からの送風の流れに対する送風抵抗となることを抑制することができる。
【００３３】
また、ルーバ回動安定手段１４の材料はルーバ１１材料より密度が大きい金属性である場合は、ルーバ回動安定手段１４の体積を更に小さくすることができ、送風口３からの送風の流れに対する送風抵抗となることを更に抑制することができる。
【００３４】
また、ルーバ回動安定手段１４は、略円柱形状であるため、送風口３からの送風の流れを乱すことを抑制することができる。
【００３５】
これらの結果により、送風口のほぼ全域からの送風を水平方向から垂直上方方向まで送風方向を変化させ、その変化を一定の速度で行うことにより、広範囲に干された洗濯後の衣類に送風を均等に当てることができ、乾きむらを抑制することができる除湿装置を提供できる。
【００３６】
（実施の形態２）
実施の形態２は図６、図７のごとく、ルーバ１１の両側面１２には軸部１３と、この軸部１３の下部でルーバ１１の両側面１２の間には、ルーバ回動安定手段１９とを備えた構成となっている。軸部１３は、ルーバ１１の両側面１２でルーバ１１から下方に所定の距離を有し、かつ送風後端１１ａ側に片寄った位置に設け、ルーバ１１の両側面１２より外側に突出した円柱形状である。
【００３７】
また、ルーバ回動安定手段１９は、軸部１３の下部でルーバ１１の両側面１２の間にルーバ１１に平行に送風後端１１ａ側に片寄って設けられ、平板形状である。ルーバ回動安定手段１９と軸部１３との距離は、ルーバ１１と軸部１３との距離より長く設けられている。ルーバ回動安定手段１９の送風後端１９ａ側から送風前端１９ｂ側の奥行き寸法は、ルーバ１１の送風後端１１ａ側から送風前端１１ｂ側の奥行き寸法より短く設けられている。また、送風後端１９ａの形状は、ルーバ１１方向に湾曲状態に設けられている。
【００３８】
また、図８のごとくその他構成は実施の形態１と同様の構成となっている。
【００３９】
このような構成において、送風口３からのほぼすべての送風を水平方向から垂直上方方向まで送風方向を変化させることができるとともに、ルーバ回動安定手段１９は、軸部１３の下部でルーバ１１の両側面１２の間にルーバ１１に平行に送風後端１１ａ側に片寄って設けられため、ルーバ回動安定手段１９の送風後端１９ａとルーバ１１の送風後端１１ａが軸部１３を中心として送風前端１９ｂと送風前端１１ｂとでバランスをとることとなり、つまりルーバ１１の位置に関係なくルーバ重心１８の位置が軸部１３に対し距離が離れることなくほぼ近傍を維持することとなり、軸部１３の垂直方向に対しルーバ重心１８が前後することがないので、ルーバ１１回動時に駆動手段１７に回転力が加わることがなく、ルーバ１１は一定の速度を保って回動して送風方向を変化させることができる。
【００４０】
また、ルーバ回動安定手段１９は平板形状であるため、送風口３からの送風がルーバ回動安定手段１９に当たることにより、ルーバ１１の回動方向と逆向きの方向にも常に風力が働くため、ルーバ１１回動時に駆動手段１７に回転力が加わることがなく、ルーバ１１は更に一定の速度を保って回動して送風方向を変化させることができる。
【００４１】
また、ルーバ回動安定手段１９の送風後端１９ａ側から送風前端１９ｂ側の奥行き寸法は、ルーバ１１の送風後端１１ａ側から送風前端１１ｂ側の奥行き寸法より短く設けられているため、ルーバ回動安定手段１９とルーバ１１の２箇所に送風が当たり、風向が変わるため、ルーバ１１が変化させる風向方向に対し、送風幅を広げる作用をして、衣類乾燥時に衣類全体に送風を当てることができる。
【００４２】
また、送風後端１９ａの形状は、ルーバ１１方向に湾曲状態に設けられているため、ルーバ１１回動時に送風後端１９ａが送風口３に近づいた時にも、送風後端１９ａ部での送風の流れの乱れを抑制することができ、異音の発生も抑制できる。
【００４３】
これらの結果により、送風口のほぼ全域からの送風を水平方向から垂直上方方向まで送風方向を変化させ、その変化を一定の速度で行い、送風幅を広げているので、広範囲に干された洗濯後の衣類に送風を衣類全体に均等に当てることができ、乾きむらを抑制し、乾燥スピードが速い衣類乾燥能力に優れた除湿装置を提供できる。
【００４４】
（実施の形態３）
実施の形態３は図９のごとく、ルーバ１１の両側面１２でルーバ１１から下方に所定の距離を有し、かつ送風後端１１ａ側に片寄った軸部１３を設け、軸部１３はルーバ１１の両側面１２より外側に突出した円柱形状の構成となっている。
【００４５】
本体ケース１の送風口３近傍には、ルーバ１１の軸部１３が回動自在に固定される支持孔１６を備えた支持部１５を設けており、内部にはルーバ１１の回動を行う駆動手段１７を設け、この駆動手段１７は支持孔１６を介し、軸部１３の一方と固定されている。反対側の支持部１５にも、同構造の支持孔１６を備え、内部にはルーバ回動安定手段２０を備えた構成となっている。
【００４６】
また、このルーバ回動安定手段２０は支持孔１６を介し、軸部１３の一方と連結されており、軸部１３の軸方向に対して垂直に固定された略楕円形状の略楕円平板２０ａと、支持部１５内部に設けられた板バネ保持部２０ｂと板バネ保持部２０ｂに保持されて略楕円平板２０ａの端面に接触する板バネ２０ｃとからなる。
【００４７】
なお、支持部１５内部に設けられた板バネ保持部は、板バネの両端とも支持するものでなく、一端を支持するものでもよい。
【００４８】
また、その他構成は実施の形態１と同様の構成となっている。
【００４９】
図１０のごとく、ルーバ１１は回動時に、ルーバ重心１８の位置が軸部１３の垂直方向のときは、略楕円平板２０ａの長辺と板バネ２０ｃは接する位置になる。また、ルーバ重心１８の位置が軸部１３の垂直方向の位置よりルーバ１１の開方向のときは、略楕円平板２０ａは板バネ２０ｃを押し、ルーバ１１にはルーバ１１が閉じる回転方向にバネ力が働く。逆に、ルーバ重心１８の位置が軸部１３の垂直方向の位置よりルーバ１１の閉方向のときは、ルーバ１１にはルーバ１１が開く回転方向にバネ力が働く。
【００５０】
このような構成において、送風口３からのほぼすべての送風を水平方向から垂直上方方向まで送風方向を変化させることができるとともに、ルーバ１１の回動時に、ルーバ重心１８が軸部１３の垂直方向を跨る際に、ルーバ回動安定手段２０によってルーバ１１が回転する方向と逆方向にルーバ１１にバネ力の回転力が働くことで、ルーバ１１の前後の重量移動により駆動手段１７に発生する回転方向の回転力を低減することができ、ルーバ１１は一定の速度を保って回動して送風方向を変化させることができる。
【００５１】
これらの結果により、除湿機のルーバを簡易な構成でも、送風口のほぼ全域からの送風を水平方向から垂直上方方向まで送風方向を変化させ、その変化を一定の速度で行うことができるので、広範囲に干された洗濯後の衣類に送風を衣類に均等に当てることができ、乾きむらを抑制できる安価なルーバを搭載した除湿装置を提供できる。
【産業上の利用可能性】
【００５２】
本発明の除湿装置は、送風口のほぼ全域からの送風を水平方向から垂直上方方向まで送風方向を変化させ、その変化を一定の速度で行うことにより、広範囲に干された洗濯後の衣類に送風を均等に当てることができ、乾きむらを抑制することができるので、洗濯物の室内干しにおいて、乾きむらによる部屋干し特有のニオイなども低減できるために、その使い勝手がさらに高いものとなる。したがって、各種乾燥機器において広く活用されるものとなる。
【図面の簡単な説明】
【００５３】
【図１】本発明の実施の形態１の断面図
【図２】本発明の実施の形態１のルーバの斜視図
【図３】本発明の実施の形態１のルーバの断面図（（イ）同ルーバ部分の閉状態の動作を示す部分断面図、（ロ）同ルーバ部分の開閉の間の動作を示す部分断面図、（ハ）同ルーバ部分の開状態の動作を示す部分断面図）
【図４】同ルーバ部分の部分断面斜視図
【図５】同ルーバ部分の斜視図
【図６】本発明の実施の形態２のルーバの斜視図
【図７】本発明の実施の形態２のルーバの断面図（（イ）同ルーバ部分の閉状態の動作を示す部分断面図、（ロ）同ルーバ部分の開閉の間の動作を示す部分断面図、（ハ）同ルーバ部分の開状態の動作を示す部分断面図）
【図８】同ルーバ部分の部分断面斜視図
【図９】本発明の実施の形態３のルーバの斜視図（（イ）本発明の実施の形態３のルーバ部分の部分断面斜視図、（ロ）同ルーバ部分のルーバ回動安定手段の詳細を示す部分断面斜視図）
【図１０】本発明の実施の形態３のルーバの断面図（（イ）同ルーバ部分の開状態の動作を示す部分断面図、（ロ）同ルーバ部分の開閉の間の動作を示す部分断面図、（ハ）同ルーバ部分の閉状態の動作を示す部分断面図）
【符号の説明】
【００５４】
１      本体ケース
２      吸込口
３      送風口
４      凝縮器
５      蒸発器
６      除湿ロータ
７      モータ
８      ファン
９      ドレインパン
１０    タンク
１１    ルーバ
１１ａ  送風後端
１１ｂ  送風前端
１２    両側面
１３    軸部
１４    ルーバ回動安定手段
１５    支持部
１６    支持孔
１７    駆動手段
１８    ルーバ重心
１９    ルーバ回動安定手段
１９ａ  送風後端
１９ｂ  送風前端
２０    ルーバ回動安定手段
２０ａ  略楕円平板
２０ｂ  板バネ保持部
２０ｃ  板バネ
１０１  本体ケース
１０２  送風口
１０３  ルーバ
１０４  軸部
１０５  ルーバ重心
【図１】
2010012401.tif 000003
【図２】
2010012401.tif 000004
【図３】
2010012401.tif 000005
【図４】
2010012401.tif 000006
【図５】
2010012401.tif 000007
【図６】
2010012401.tif 000008
【図７】
2010012401.tif 000009
【図８】
2010012401.tif 000010
【図９】
2010012401.tif 000011
【図１０】
2010012401.tif 000012